(57)【要約】【課題】製造コストが安く、しかも、前面に描かれた文字や図形が暗がりでも明瞭に見えるキートップを提供する。【解決手段】前面に文字またはパターンの形状の凹み１ｂを設け、前記凹み１ｂに夜光塗料１ｇを流し込んだ。【選択図】図２
2009193837.tif 000002
【特許請求の範囲】
【請求項１】
前面に文字またはパターンの形状の凹みを設け、前記凹みに夜光塗料を流し込んだことを特徴とするキートップ。
【請求項２】
文字またはパターンの形状の凹みを設け前記凹みに夜光塗料を流し込んだ操作パネルの穴から突出するように配置される請求項１のキートップ。
【発明の詳細な説明】
【技術分野】
【０００１】
この発明は電子機器に係わり、特に、そのキートップに関する。
【背景技術】
【０００２】
特開平２−１８９８３０号公報に開示された押釦スイッチは、キートップの表面を含む内部にインキの着色染料を浸透させて文字や図形を表示している。この文字や図形や図形でキートップの機能を表示することによりキートップの操作が行いやすくなる。しかしながら、上記キートップは照明されていないため、暗がりでは見えにくく操作が困難となるという問題があった。
【０００３】
そこで、車載用電気機器や携帯用電子機器等の暗がりで操作されるキートップの文字や図形を見やすくするために、表面が照明されるキートップが用いられていた。図４にそのような従来のキートップアセンブリの使用例を示す。
【０００４】
図４に示すキートップアセンブリ２は透光性ゴム状部材て作られており、複数のキートップ２ａ、２ａ…が椀形の弾性変形部２ｃ、２ｃ…を介してベース２ｄ一体形状となっている。キートップ２ａ、２ａ…の前面は印刷または塗装後に文字や図形がレーザ抜きされている。キートップ２ａ、２ａ…の下面に形成されたボス２ｅには導体シート２ｆが一体成形されている。
【０００５】
このキートップアセンブリ２はプリント基板３上に配置され、キートップ２ａ、２ａ…が操作パネル４の穴から突出している。プリント基板３に実装されているＬＥＤ５、５…はベース２ｄの凹み２ｈ内に収まっており、ＬＥＤ５、５…から発光する光はベース２ｄおよび弾性変形部２ｃに案内されてキートップ２ａ、２ａ…の前面を照明する。
【０００６】
キートップ２ａを押すと、弾性変形部２ｃが弾性変形してキートップ２ａが下動して導体シート２ｆがプリント基板３に設けられた対向する導体パターンに圧接して導体パターンを導通させる。キートップ２ａ、２ａ…の前面が照明されているので、キートップ２ａ、２ａ…の前面に描かれた文字や図形が暗がりでも明瞭に見える。
【特許文献１】特開平２−１８９８３０号公報、１３頁〜１５頁、第１図〜第３図
【発明の開示】
【発明が解決しようとする課題】
【０００７】
上記図４に示した従来のキートップアセンブリは光源となるＬＥＤを必要とするために、部品点数や組立て工数が増大して製造コストが高くなるという問題あった。また、ＬＥＤを点灯させるため、消費電力が大きくなるという問題があった。特に車載用機器や携帯用電子機器等はバッテリを消耗させるために好ましくなかった。また、キートップ前面を印刷するので、摩擦等により印刷が消えるという問題もあった。
【０００８】
この発明は上記した点に鑑みてなされたものであって、その目的とするところは、製造コストが安く、しかも、前面に描かれた文字や図形が暗がりでも明瞭に見えるキートップを提供することにある。
【課題を解決するための手段】
【０００９】
この発明のキートップは、前面に文字またはパターンの形状の凹みを設け、前記凹みに夜光塗料を流し込んだものである。
【００１０】
また、前記キートップにおいて、文字またはパターンの形状の凹みを設け前記凹みに夜光塗料を流し込んだ操作パネルの穴から突出するように配置されるものである。
【発明の効果】
【００１１】
この発明のキートップが用いられた電子機器は、製造コストが安く、また、消費電力が小さく、しかも、キートップ前面に描かれた文字や図形が暗がりでも明瞭に見える
【発明を実施するための最良の形態】
【００１２】
以下この発明を実施するための最良の形態を実施例に即して説明する。
【実施例１】
【００１３】
図１はこの発明の実施例１であるキートップアセンブリの部分を示す斜視図、図２は図１におけるＡ−Ａ断面図である。図１および図２に示すキートップアセンブリ１は不透光性ゴム状部材で作られており、複数のキートップ１ａ、１ａ…が椀形の弾性変形部１ｃ…を介して図示していないベースと一体形状となっている。
【００１４】
キートップ１ａ、１ａ…の前面には文字や図形の形状の凹み１ｂが形成されている。そして、従来例の図４に示すキートップアセンブリ１とは凹み２ｈが設けられいないことを除くと同一の形状となっている。すなわち、図２に示すように、キートップ１ａの下面に形成されたボス２ｅには導体シート２ｆが貼着されている。凹み１ｂには夜光塗料１ｇが流し込まれて自然状態または加熱されて固化している。
【００１５】
このキートップアセンブリ１は従来例のものと同様にプリント基板と操作パネルとの間に配置されて、操作パネルの穴から突出したキートップ１ａを押すことによりプリント基板に設けられた対向する導体パターンに圧接して導体パターンを導通させることができる。
【００１６】
キートップ１ａの前面に固化されている夜光塗料１ｇは昼間明るいときに光エネルギーを吸収し暗くなると発光して、キートップ１ａ、１ａ…の前面に描かれた文字や図形が暗がりでも明瞭に見えるようになる。
【００１７】
このキートップアセンブリが使用される電子機器はキートップ１ａ、１ａ…を照明するＬＥＤと必要しないので製造コストが安く、消費電力も小さい。さらに、夜光塗料１ｇは凹み内で固化しているので、摩擦等により文字や図形が消えることはない。
【実施例２】
【００１８】
図３はこの発明の実施例２であるキートップアセンブリが用いられた操作パネル４を示す正面図である。この例では実施例１と同じキートップアセンブリ１が用いられており、キートップアセンブリ１のキートップ１ａ、１ａ…が操作パネル４の穴から突出している。
【００１９】
操作パネル４の表面に設けられた文字や図形の凹み４ａ、４ａにも夜光塗料が流し込まれて、固化されている。この例では操作パネルのキートップ以外の文字や図形も暗がりでも明瞭に見えるようにすることができ、しかも消費電力が増大しない。
【図面の簡単な説明】
【００２０】
【図１】この発明の実施例１であるキートップアセンブリの部分を示す斜視図である。
【図２】図１におけるＡ−Ａ断面図である。
【図３】この発明の実施例２であるキートップアセンブリが用いられた操作パネルを示す正面図である。
【図４】従来のキートップアセンブリの使用例を示す断面図である。
【符号の説明】
【００２１】
１  キートップアセンブリ、１ａ  キートップ、１ｂ  凹み、１ｃ  弾性変形部、１ｄ  ベース、１ｅ  ボス、１ｆ  導体シート、１ｇ  夜光塗料
２  キートップアセンブリ、２ａ  キートップ、２ｃ  弾性変形部、２ｄ  ベース、２ｅ  ボス、２ｆ  導体シート、２ｈ  凹み
３  プリント基板
４  操作パネル
５  ＬＥＤ
【図１】
2009193837.tif 000003
【図２】
2009193837.tif 000004
【図３】
2009193837.tif 000005
【図４】
2009193837.tif 000006